(57)【要約】      （修正有）【課題】両面発光バックライトモジュールを提供する。【解決手段】本考案の両面発光バックライトモジュールは、主に、側光式光源１３に、導光板１４を組み合わせ、導光板は、光源の光線を、前後両側のメイン、サブディスプレイ１１，１２幕上に導向させる。導光板とメインディスプレイ幕間に、下拡散片１５、増光片１７、上拡散片１８を設け、導光板とサブディスプレイ幕間に、反射片１６、増光片、上拡散片等の素子を設け、反射片は、一部のサブディスプレイ幕の光線を、メインディスプレイ幕に反射するのに用い、導光板とサブディスプレイ幕間の下拡散片を取り消して、光線の伝送損耗を減少させ、輝度を向上させ、構造素子を簡潔化し、生産速度を増加して、コストを抑制する目的を達成する。【選択図】図２
0003108014.tif 000002
【実用新案登録請求の範囲】
【請求項１】
両面発光バックライトモジュールであって、ハウジング内に設置され、前記ハウジングの両側に、それぞれ、メインディスプレイ幕とサブディスプレイ幕を設置し、前記バックライトモジュールは、少なくとも一つの光源、及び、導光板を有し、前記導光板は、光源の光線を前記メイン、サブディスプレイ幕に導向し、その特徴は、
前記導光板と前記メインディスプレイ幕間は、順に、下拡散片と増光片を有し、前記導光板と前記サブディスプレイ幕間は、順に、反射片と増光片を有し、これにより、一部の前記サブディスプレイ幕の光線は、前記反射片により、前記メインディスプレイ幕に反射すると共に、前記導光板と前記サブディスプレイ幕間の前記拡散片を取り消すことにより、光線の伝送損耗を低下させ、バックライトモジュールの厚さを減少させることを特徴とする両面発光バックライトモジュール。
【請求項２】
前記バックライトモジュールの前記メインディスプレイ幕の近くに、上拡散片を増設し、前記上拡散片により、光線輝度と均衡度を調整し、前記メインディスプレイ幕のディスプレイ効果を更に好ましくすることを特徴とする請求項１に記載の両面発光バックライトモジュール。
【請求項３】
前記バックライトモジュールの前記サブディスプレイ幕の近くに、上拡散片を増設し、前記上拡散片により、光線輝度と均衡度を調整し、前記サブディスプレイ幕のディスプレイ効果を更に好ましくすることを特徴とする請求項１に記載の両面発光バックライトモジュール。
【請求項４】
前記ハウジングは、プラスチック材質により構成されることを特徴とする請求項１に記載の両面発光バックライトモジュール。
【請求項５】
前記ハウジングは、金属材質により構成されることを特徴とする請求項１に記載の両面発光バックライトモジュール。
【請求項６】
前記光源は、冷陰極管蛍光ランプCCFLであることを特徴とする請求項１に記載の両面発光バックライトモジュール。
【考案の詳細な説明】
【技術分野】
【０００１】
本考案は、両面発光バックライトモジュールに関するものであって、特に、両面液晶ディスプレイに用い、輝度が高く、薄型のバックライトモジュールに関するものである。
【背景技術】
【０００２】
デジタル製品、及び、ワイヤレスコミュニケーションの発展に伴って、ディスプレイは、公知の冷陰極管CRTから、各種、更に薄型軽量で、携帯に便利な液晶ディスプレイLCDに変化し、LEDは薄型で、節電、低輻射等の長所があり、各種電子製品上に応用されて、ディスプレイ装置の主流となっている。
【０００３】
液晶ディスプレイパネル装置は、表示する液晶パネル自身に発光の功能はなく、よって、別途に光源を液晶パネル上に提供することが必要で、この光源の功能は、即ち、バックライトモジュールにより実行される。バックライトモジュールは、直下式と側光式があり、部分的に両面ディスプレイが必要な液晶ディスプレイ（即ち、携帯電話の両面ディスプレイ）上に、側光式バックライトモジュールを利用して、全体の厚さを減少させる。図１で示されるように、バックライトモジュールは、側辺に光源９０、導光板９１を備え、導光板９１は、側面の光源９０が発出する光線を、均一に前後両側に導向し、両面ディスプレイの液晶ディスプレイ前後のメインディスプレイ幕９２とサブディスプレイ幕９３は、共に、光源９０から光線を得る。導光板９１とメインディスプレイ幕９２間には、下拡散片９４、増光片９５、及び、上拡散片９６等が設けられ、下拡散片９４は、光線の分布を更に均一にし、メインディスプレイ幕９２上で光線の反射点の影が見えるのを防止する。増光片９５の主な作用は集光で、バックモジュールの生成する輝度を増加する。上拡散片９６は、必須の構造ではなく、その設置目的は、増光片を保護し、画面にニュートンリング現象が生じるのを防ぎ、メインディスプレイ幕９２のディスプレイ効果を更に好ましくする。導光板９１とサブディスプレイ幕９３間に、下拡散板９４、増光片９５、反射片９７等を設け、その作用は、メインディスプレイ幕９２との間の各素子と相同で、サブディスプレイ幕９３側の導光板９１と下拡散板９４間に、反射片９７を増設し、反射片９７は、光源９０の部分光線を、メインディスプレイ幕の方向に反射させ、メインディスプレイ幕９２は、一般に、サブディスプレイ幕９３よりも大きいので、必要な光線も多く、故に、反射片９７を増設して、メイン、サブディスプレイ幕９２、９３の光源９０光線比例を調整する功能を達成している。
【０００４】
しかし、この種の公知の両面発光バックライトモジュールは、サブディスプレイ幕９３の光線の一部が、反射片９７により、メインディスプレイ幕９２上に反射されるので、よって、サブディスプレイ幕９３の下拡散片９４を経過すれば、輝度不足の問題が生じやすい。光源９０の光線強度を向上して問題を解決する場合、コストが高く、消耗電力も大きいことから、全体的に、実用性がないといえる。
【特許文献１】特開2004-063439
【考案の開示】
【考案が解決しようとする課題】
【０００５】
本考案は、両面発光バックライトモジュールを提供し、公知の両面発光バックライトモジュールの厚い、輝度不足等の欠点を改善することを目的とする。
【課題を解決するための手段】
【０００６】
上述の目的を達成するため、本考案は、側光式光源に、導光板を組み合わせ、導光板は、光源の光線を、前後両側のメイン、サブディスプレイ幕上に導向させる。導光板とメインディスプレイ幕間に、下拡散片、増光片、上拡散片を設け、導光板とサブディスプレイ幕間に、反射片、増光片、上拡散片等の素子を設け、反射片は、一部のサブディスプレイ幕の光線を、メインディスプレイ幕に反射するのに用い、導光板とサブディスプレイ幕間の下拡散片を取り消して、光線の伝送損耗を減少させ、輝度を向上させ、構造素子を簡潔化し、生産速度を増加して、コストを抑制する目的を達成する。よって、本考案は、実用性と新規性のある考案である。
【考案の効果】
【０００７】
本考案により、光線の伝送損耗を減少させ、輝度を向上させ、構造素子を簡潔化し、生産速度を増加して、コストを抑制する目的を達成することができる。
【考案を実施するための最良の形態】
【０００８】
本考案の両面発光バックライトモジュールは、図２で示されるように、ハウジング１０（ハウジングは金属、或いは、プラスチック材質からなる）内に容置され、ハウジング両側は、二つの液晶ディスプレイモジュールで、前端の液晶ディスプレイモジュールは、メインディスプレイ幕１１で、後端のディスプレイモジュールは、サブディスプレイ幕１２である。バックライトモジュール内は、少なくとも一つの側光式光源１３（光源は冷陰極蛍光ランプCCFL、発光ダイオードLED、ELディスプレイ等で、LEDが最も好ましい）、及び導光板１４を設け、導光板１４は、側辺に隣接した光源１３により、光源１３の光線を、導光板１４前後両端のメイン、サブディスプレイ幕１１、１２上に導向し、導光板１４とメインディスプレイ幕１１間は、順に、下拡散片１５、増光片１７、及び、上拡散片１８を設け、光源１３の光線が導光板１４に進入して、メインディスプレイ幕１１に導向される時、まず、下拡散片１５を経過し、下拡散片１５の作用は、光線を拡散して、光線の均衡度を調整し、メインディスプレイ幕１１上で、光線の反射点の影が見えないようにする。光線が下拡散片１５から射出した後、増光片１７に進入し、増光片１７は、光の方向を修正し、元の指向性が好ましくない光線に集光の効果をもたらして、正面の輝度を増加させる。上拡散片１８は、必須の素子ではなく、設置目的は、増光片を保護し、画面にニュートンリングが出現するのを防止することで、反射式偏光片により代替してもよく、メインディスプレイ幕１１のディスプレイ効果を更に好ましくする。導光板１４とサブディスプレイ幕１２間は、順に、反射片１６、増光片１７、及び、上拡散片１８を設け、一般の両面ディスプレイの液晶ディスプレイで、サブディスプレイ幕１２は、往々にして、メインディスプレイ幕１１より小さいので、故に、導光板１４とサブディスプレイ幕１２間に反射板１６を設置し、反射片１６により、光源１３の部分の光線を、メインディスプレイ幕１１上に戻す。光が反射片１６に進入した後、反射されない光線は、反射片１６を通過すると共に、増光片１７に直接進入し、増光片１７により集光して、輝度を向上する目的を達成する。最後に、状況に応じて、上拡散片１８を増設し、上拡散片１８により、増光片を保護し、画面にニュートンリング現象が出現するのを防止し、反射式偏光片により代替することもでき、ディスプレイ１２のディスプレイ効果を更に好ましくする。
【０００９】
本考案の両面発光バックライトモジュールは、輝度を増加し、厚さを減少させ、コストを抑制する効果を達成する。
【図面の簡単な説明】
【００１０】
【図１】公知の両面発光バックライトモジュールの構造断面図である。
【図２】本考案の両面発光バックライトモジュールの構造断面図である。
【符号の説明】
【００１１】
１０…ハウジング
１１…メインディスプレイ幕
１２…サブメインディスプレイ幕
１３…光源
１４…導光板
１５…下拡散片
１６…反射片
１７…増光片
１８…上拡散片
９０…光源
９１…導光板
９２…メインディスプレイ幕
９３…サブディスプレイ幕
９４…下拡散片
９５…増光片
９６…上拡散片
９７…反射片
【図１】
0003108014.tif 000003
【図２】
0003108014.tif 000004